(57)【要約】      （修正有）【課題】袋状に縫製した、保冷用または保温用の装具に収納することにより、身体に当接させて用いるのに適した保冷剤を提供する。【解決手段】市販の冷蔵が必要な食品などに付属している保冷剤１や、高分子材料からなるフィルムや高分子材料と金属材料からなるラミネートフィルムのパックに充填されている飲料を、凍結させる前に装着する部位に適合した形状を有する型２ａ、２ｂに充填または挟んだ状態で凍結して成形し、保冷剤として用いる。【選択図】図１
2009203254.tif 000002
【特許請求の範囲】
【請求項１】
当接する部位に適合した形状を有する型に、充填または挟んだ状態で、凍結してなることを特徴とする保冷剤。
【請求項２】
可撓性を有する袋状のパックに充填された飲料を、当接する部位の形状に適合した形状を有する型に、充填または挟んだ状態で凍結してなることを特徴とする保冷剤。
【発明の詳細な説明】
【技術分野】
【０００１】
本発明は、保冷剤に関し、特に適当な装具に収納して身体に装着することにより、身体の冷却や防暑に使用可能な保冷剤に関するものである。
【背景技術】
【０００２】
夏季における炎天下での活動では、空調機などが効果的に使用できないため、屋内での作業に比較すると、体調を最適に維持するのが困難で、活動時間などに多大の制約を来すことが常である。
【０００３】
この対策の一環として、特許文献１には、温度調節具を収納可能な首掛けタオルが開示されている。この首掛けタオルの所定の位置に保冷剤を収納することにより、身体を効率的に冷却することが可能である。
【０００４】
また、本発明者は、特願２００７−３１３１６０において、内部に保冷剤または保温剤を収納してなる複数の装具を、装着する身体の部位の形状に合わせて組み合わせることが可能な、保冷用または保温用の装具を開示している。
【０００５】
【特許文献１】特開２００５−２２０５０２号公報
【発明の開示】
【発明が解決しようとする課題】
【０００６】
前記の保冷用または保温用の装具においては、冷蔵が必要な食品の搬送などに用いられる、使い捨ての保冷剤を用いることも可能である。この保冷剤には、ポリアクリル酸ナトリウムなどの吸水性高分子材料に水分を含有させ、水分を凍結させた材料などが多用されていているが、形状は特に定まったものがなく、必ずしも身体への当接に適合したものではない。
【０００７】
一方で、市販の清涼飲料には、瓶入り、缶入りの他に、高分子材料からなるフィルム、または高分子材料と金属からなるラミネートフィルムを、袋状に成形したパックに充填したものがある。清涼飲料やジュース類には、溶質が含まれることから凝固点降下により、凍結して用いれば、パック入りの飲料は、通常の氷よりも低い温度で機能する保冷剤として使用できる可能性がある。
【０００８】
しかも、凍結させた飲料が融解した後は、当然のことながら飲料として利用できるので、使用後はかさばらないという利点がある。さらに、ネジ口付きの蓋が附属したパックであれば、繰り返し飲料を充填して利用することも可能である。しかし、パック入り飲料は、身体に当接させるのに適した形状になっていないので、防暑に用いるには、通常の保冷剤と同様の課題を有する。
【０００９】
従って、本発明の課題は、前記特願２００７−３１３１６０に開示されている保冷用または保温用の装具に収納することにより、身体に当接させて用いるのに適した保冷剤を提供することである。
【課題を解決するための手段】
【００１０】
本発明は、保冷剤やパック入り飲料が凍結していない状態において、一定範囲内であれば、その形状を任意に変形できることに着目した結果なされたものである。
【００１１】
即ち、本発明は、当接する部位に適合した形状を有する型に、充填または挟んだ状態で、凍結してなることを特徴とする保冷剤である。
【００１２】
また、本発明は、可撓性を有する袋状のパックに充填された飲料を、当接する部位の形状に適合した形状を有する型に、充填または挟んだ状態で凍結してなることを特徴とする保冷剤である。
【発明の効果】
【００１３】
本発明の保冷剤は、型を用いて当接する部位に適合した形状に成形してあるので、特願２００７−３１３１６０に開示されている、保冷用または保温用の装具に収納して身体に装着することにより、身体の任意の位置を効率よく冷却することが可能となる。従って、本発明が夏季における屋外活動の際の、体調維持に資するところは極めて大きいと言える。
【００１４】
また、パック入りの飲料を凍結して保冷剤として用いると、飲料の方が保冷剤よりも容易に入手できるので、汎用性が増加するとともに、使用後は飲料として飲用すればよいので、利便性も格段に向上する。
【発明を実施するための最良の形態】
【００１５】
次に本発明の実施の形態について、図を参照しながら具体的に説明する。図１は、本発明に係る保冷剤の成形方法の概略を示す図である。図１において、１は保冷剤、２ａは成形用型の上側、２ｂは成形用型の下側である。
【００１６】
ここで用いている保冷剤１は、市販の食品などを保冷するために付属しているものを流用したものである。また、成形用型の上側２ａ及び成形用金型２ｂは、凹面の曲面と凸面の曲面が互いに係合する形状に形成されていれば、特に材質が限定されるものではなく、各種の金属材料やプラスチック材料を用いることができる。ただし、当然のことながら、材料の熱伝導率が大きい方が効率よく保冷剤を凍結できるので、金属材料の方がより好ましい。
【００１７】
これらの間に、内容物が溶けた状態の保冷剤１を挟み、輪ゴムなどで押さえた状態で、家庭用の冷蔵庫の冷凍室に装入して内容物を凍結させることで、身体の装着部位に適した曲面を有する保冷剤１を得ることができる。
【００１８】
また、図２は、市販のパック入りの飲料の概略図である。図２において、３は飲料を充填したパック、４はネジ口付きの蓋である。また、図３は、前記パック入りの飲料を図１に示した成型用型を用いて身体への装着に適した形状に成形した状態を示す概略図である。
【００１９】
そして図４は、特願２００７−３１３１６０に開示されている保冷用または保温用の装具に、保冷剤を収納する状態を示す概略図である。図４において、５は装具、６は収納部、７は保冷剤である。装具５はタオルなどの布地を袋状に縫製し、保冷剤を収納するための開口部が設けてある。
【００２０】
図５は、保冷剤を収納した装具を首の部分に掛けて使用している状態を示す概略図である。このように首の部分に装具を装着し、冷却することで、使用者は清涼感を得ることができる。
【００２１】
以上に説明したように、本発明によれば、効率的に使用可能で、使用者の身体を簡単に冷却できる保冷剤を提供することでき、夏季の屋外での活動における体調維持に寄与するところは大きいと言える。
【００２２】
なお、本発明は、前記実施の形態に限定されるものではなく、本発明の要旨を逸脱しない範囲の変更があっても、本考案に含まれる。即ち、本技術分野における通常の知識を有する者であれば想到し得る、各種変形、修正を含むことは勿論である。
【図面の簡単な説明】
【００２３】
【図１】本発明に係る保冷剤の成形方法の概略を示す図
【図２】市販のパック入りの飲料の概略図
【図３】パック入りの飲料を身体への装着に適した形状に成形した状態を示す概略図
【図４】保冷用または保温用の装具に保冷剤を収納する状態を示す概略図
【図５】保冷剤を収納した装具を首の部分に掛けて使用している状態を示す概略図
【符号の説明】
【００２４】
１    保冷剤
２ａ  成形用型の上側
２ｂ  成形用型の下側
３    飲料を充填したパック
４    ネジ口付きの蓋
５    装具
６    収納部
７    保冷剤
【図１】
2009203254.tif 000003
【図２】
2009203254.tif 000004
【図３】
2009203254.tif 000005
【図４】
2009203254.tif 000006
【図５】
2009203254.tif 000007